(57)【特許請求の範囲】
【請求項１】
アップリンクパケット伝送に用いる無線リソースを割り当てるスケジューラを備えるネットワーク装置を有する無線通信システムにおける移動体無線通信装置であって、
ゲートウェイを介して前記無線通信システムに接続される少なくともひとつのパケット・データ・ネットワーク（ＰＤＮ）に対する前記アップリンクパケット伝送のために少なくともひとつのＰＤＮ接続をサポートし、前記少なくともひとつのＰＤＮ接続に関連付けられた複数の非保証ビットレートベアラを確立する確立手段と、
前記ネットワーク装置を介して、少なくとも前記複数の非保証ビットレートベアラを用いた前記アップリンクパケット伝送の合計最大ビットレート値を示すパラメータと前記ゲートウェイの識別子を含む前記アップリンクパケット伝送についての制御情報を受信する受信手段と、
前記制御情報を用いて、前記少なくともひとつのＰＤＮ接続に関連付けられた前記複数の非保証ビットレートベアラのトラフィックを制限することにより、前記移動体無線通信装置から前記ＰＤＮへの前記アップリンクパケット伝送を制御する制御手段と、
を有する移動体無線通信装置。
【請求項２】
請求項１に記載の移動体無線通信装置であって、前記パラメータ及び前記識別子は、前記ネットワーク装置が前記無線通信システム内の他のネットワーク装置から受信する前記移動体無線通信装置の加入者情報の一部である、移動体無線通信装置。
【請求項３】
請求項１に記載の移動体無線通信装置であって、前記パラメータ及び前記識別子は、前記少なくともひとつのＰＤＮ接続に関連付けられた前記複数の非保証ビットレートベアラの確立手続きの一部として受信される、移動体無線通信装置。
【請求項４】
請求項１に記載の移動体無線通信装置であって、前記ネットワーク装置によって前記複数の非保証ビットレートベアラを前記パラメータ及び前記識別子に関連付ける手段を更に含む、移動体無線通信装置。
【請求項５】
請求項１に記載の移動体無線通信装置であって、前記制限手段は、前記複数の非保証ビットレートベアラの少なくともひとつを用いた前記アップリンクパケット伝送のトラフィックを制限する、移動体無線通信装置。
【請求項６】
請求項１乃至５のいずれかに記載の移動体無線通信装置であって、前記少なくともひとつのパケット・データ・ネットワーク（ＰＤＮ）は、複数のゲートウェイを介して前記無線通信システムに接続される複数のＰＤＮを含む、移動体無線通信装置。
【請求項７】
請求項６に記載の移動体無線通信装置であって、前記制御情報は、前記複数のＰＤＮに対する複数の前記パラメータ及び前記複数のゲートウェイの識別子を含む、移動体無線通信装置。
【請求項８】
請求項１乃至７に記載の移動体無線通信装置であって、前記少なくともひとつのＰＤＮ接続は、前記移動体無線通信装置が有する複数のＰＤＮ接続を含む、移動体無線通信装置。
【請求項９】
移動体無線通信装置からのアップリンクパケット伝送に無線リソースを割り当てるスケジューラを備えるネットワーク装置を有する無線通信システムにおいて、前記アップリンクケット伝送を制御する制御方法であって、
ゲートウェイを介して前記無線通信システムに接続される少なくともひとつのパケット・データ・ネットワーク（ＰＤＮ）に対する前記アップリンクパケット伝送のために少なくともひとつのＰＤＮ接続をサポートし、前記少なくともひとつのＰＤＮ接続に関連付けられた複数の非保証ビットレートベアラを確立するステップと、
前記ネットワーク装置を介して、少なくとも前記複数の非保証ビットレートベアラを用いた前記アップリンクパケット伝送の合計最大ビットレート値を示すパラメータと前記ゲートウェイの識別子を含む前記アップリンクパケット伝送についての制御情報を受信するステップと、
前記制御情報を用いて、前記少なくともひとつのＰＤＮ接続に関連付けられた前記複数の非保証ビットレートベアラのトラフィックを制限することにより、前記移動体無線通信装置から前記ＰＤＮへの前記アップリンクパケット伝送を制御するステップと、
を有する制御方法。
【請求項１０】
請求項９に記載の方法であって、前記パラメータ及び前記識別子は、前記ネットワーク装置が前記無線通信システム内の他のネットワーク装置から受信する前記移動体無線通信装置の加入者情報の一部である、方法。
【請求項１１】
請求項１０に記載の方法であって、前記パラメータ及び前記識別子は、前記少なくともひとつのＰＤＮ接続に関連付けられた前記複数の非保証ビットレートベアラの確立手続きの一部として受信される、方法。
【請求項１２】
請求項９に記載の方法であって、前記ネットワーク装置によって前記複数の非保証ビットレートベアラを前記パラメータ及び前記識別子に関連付けるステップを更に含む、方法。
【請求項１３】
請求項９に記載の方法であって、前記制限するステップは、前記移動体無線通信装置が、前記複数の非保証ビットレートベアラの少なくともひとつを用いた前記アップリンクパケット伝送のトラフィックを制限する、方法。
【請求項１４】
請求項９乃至１３のいずれかに記載の方法であって、前記少なくともひとつのパケット・データ・ネットワーク（ＰＤＮ）は、複数のゲートウェイを介して前記無線通信システムに接続される複数のＰＤＮを含む、方法。
【請求項１５】
請求項１４に記載の方法であって、前記制御情報は、前記複数のＰＤＮに対する複数の前記パラメータ及び前記複数のゲートウェイの識別子を含む、方法。
【請求項１６】
請求項９乃至１５に記載の方法であって、前記少なくともひとつのＰＤＮ接続は、前記移動体無線通信装置が有する複数のＰＤＮ接続を含む、方法。
【発明の詳細な説明】
【技術分野】
【０００１】
本発明は、第３世代パートナーシップ・プロジェクト（３ＧＰＰ）セルラー通信システムなどのパケット・データ・ネットワークにおけるシグナリング通信のための装置及び方法に関する。
【背景技術】
【０００２】
現在、第３世代セルラー通信システムは、携帯電話ユーザに向けて提供される通信サービスを更に拡充させるために展開されている。最も広く採用されている第３世代通信システムは、符号分割多元アクセス（ＣＤＭＡ）及び周波数分割複信（ＦＤＤ）又は時分割複信（ＴＤＤ）手法に基づいている。ＣＤＭＡ、特に、ＵＭＴＳの広帯域ＣＤＭＡ（ＷＣＤＭＡ）モードの更なる説明は、Ｈａｒｒｉ  Ｈｏｌｍａ  （編集者）、  Ａｎｔｔｉ  Ｔｏｓｋａｌａ  （編集者）による「ＷＣＤＭＡ  ｆｏｒ  ＵＭＴＳ，  Ｗｉｌｅｙ  ＆  Ｓｏｎｓ，２００１，ＩＳＢＮ  ０４７１４８６８７６」で見つけることが可能である。
【０００３】
汎用パケット無線システム（ＧＰＲＳ）、エボルブド・パケット・システム（ＥＰＳ）などの３ＧＰＰシステムでは、３Ｇ用語ではユーザ端末（ＵＥ）として知られている、ダウンリンク通信端点、すなわち、移動体又はハンドヘルドの無線通信装置は、いくつかのネットワーク構成要素に対して同時に複数の接続を有し得る。前述のネットワーク構成要素は通常、別々のいくつかのサービスをＵＥがアクセスすることを容易にする（例えば、企業サービスへのアクセス、及びインターネットへの同時アクセスを容易にする）別々のパケット・データ・ネットワーク（ＰＤＮ）へのアクセスを得るために汎用ＧＰＲＳサポート・ノード（ＧＧＳＮ）、パケット・データ・ネットワーク（ＰＤＮ）等などのゲートウェイ（ＧＷ）を含む。
【０００４】
前述のシステムでは、構成要素間で転送されるデータの量は、ＵＥが確立した特定のＰＤＮ接続に関連付けられた非保証ビット・レート（ＧＢＲ）通信ベアラーの上限として規定された合計最大ビット・レート（ＡＭＢＲ）を設定することによって制御することができる。
【０００５】
ＡＭＢＲを利用して、それぞれのＰＤＮに送出されるデータ量を制限するためには、ＡＭＢＲは、特定のＰＤＮに対してアクセスを提供する特定のＧＷとＵＥを接続する非保証ビット・レート（ＧＢＲ）ベアラー毎に実行されなければならない。
【０００６】
３ＧＰＰ（例えば、３ＧＰＰ  ＴＳ  ２３．４０１、「ＧＰＲＳ  ｅｎｈａｎｃｅｍｅｎｔｓ  ｆｏｒ  Ｅ−ＵＴＲＡＮ  ａｃｃｅｓｓ」，Ｒｅｌｅａｓｅ  ８）では、ＡＭＢＲは、アップリンク（ＵＬ）トラフィックの場合、３ＧＰＰにおけるノードＢ１１０において実行され、ダウンリンク（ＤＬ）トラフィックの場合、ＧＷ（例えば、３ＧＰＰにおけるＰＤＮ−１及びＰＤＮ−２のＧＷ）において実行される。ノードＢ及びＧＷがＵＬトラフィック及びＤＬトラフィックそれぞれのトラフィック入り口点であることを前提とすれば、これは、自然な選択である。更に、無線事業者にとって最もコスト感度が高いのは無線リソースであるため、ＵＬトラフィックが後に廃棄される場合、エア・インタフェースを介してＵＬトラフィックを「通過させる」ことは妥当でない。
【０００７】
よって、ノードＢ１１０は、いつでも、ＵＥ１０５が確立したＰＤＮ接続について通知され、スケジューリング優先度を割り当てる無線ベアラーを、それが属するＵＥ−ＰＤＮ接続と関連付ける位置になければならない。すなわち、ノードＢ１１０は、（例えば、優先ビット・レートＰＢＲの割り当てにより、）それが行うＵＬスケジューリング決定とのＵＥ−ＰＤＮ接続それぞれとのその関係をＡＭＢＲとともに考慮に入れなければならない。ノードＢ１１０は、無線ベアラーの確立及び管理も制御する。適切なコア・ネットワーク（ＣＮ）１１５の構成要素（例えば、３ＧＧのエボルブド・パケット・システム（ＥＰＳ）におけるＭＭＥ１２０）から受信された情報に応じて、ノードＢ１１０は、対応するゲートウェイ（ＧＷ）全ての無線ベアラーを確立する。
【０００８】
ＡＭＢＲの特性は、特定のエンド・ツー・エンドＱｏＳをサポートするために無線及び他の通信システムにおいて使用される他の動的ベアラー・パラメータとは多少異なる。
【０００９】
（ｉ）ＡＭＢＲ値は、個々に１つずつでなく、特定のＵＥ−ＰＤＮ接続の非ＧＭＲベアラーの「バンドル」に施される。したがって、ＡＭＢＲ値は、ＡＭＢＲを実行し、ポリシングする役割を果たすネットワーク構成要素による特別な扱いを、特に、当該構成要素が、（ノードＢなどの）動的に変動するリソースをスケジューリングする役割を果たす場合に、必要とする。
【００１０】
（ｉｉ）ＡＭＢＲ値は、加入者データベース・レジストリに記憶された静的加入者情報である。したがって、ＡＭＢＲ値は、他の動的に変動するＱｏＳパラメータが通常供給される方法と対照的に、ベアラー設定の一部としてポリシー・サーバーによって動的に供給される代わりに、当初接続手順中に通信されなければならない。
【００１１】
図２は、ＵＥ１０５とノードＢ１１０との間の既知の無線ベアラー確立手順、並びに、ＵＬ及びＤＬそれぞれにおいて行われるＡＭＢＲポリシングを示す。ＵＥ１０５をノードＢ１１０に接続する無線ベアラー２０５と、トラフィックをＰＤＮ  ＧＷ１３０に終端させるアクセス・ベアラー２１０との間の１対１の関係は、無線ベアラー２０５の確立において維持される。特定の時点では、別々のユーザ・クラス又はユーザ・アプリケーションに対する別々のサービス品質（ＱｏＳ）の扱いを与える目的で、ＵＥ１０５に確立された２つ以上の無線ベアラー２０５及びアクセス・ベアラー２１０であり得る。ＤＬでは、ノードＢ１１０におけるスケジューラの論理構成要素は、それぞれの無線ベアラー２０５において使用されるトラフィック量、及びベアラー確立中に特定のＱｏＳ識別子により、それに示されている無線ベアラー２０５の特定のサービス品質（ＱｏＳ）に基づいてＤＬトラフィックをスケジューリングする。ＰＤＮ  ＧＷ１３０、１４０が、ダウンリンク（ＤＬ）トラフィックの第１の入り口点であるので、これが、３ＧＰＰポリシー及び課金実行機能（ＰＣＦＦ）が通常、位置している所であることを前提とすれば、ＤＬトラフィックのＡＭＢＲポリシングは、それぞれのＰＤＮ  ＧＷ１３０、１３５、１４０、１４５で行われる。
【００１２】
特定のＰＤＮ接続について、ＡＭＢＲレベルをＤＬにおいて超えた場合、このＰＤＮ  ＧＷからのアクセス（非ＧＢＲ）ベアラー２１０の超過トラフィックは、当初のベアラーの確立におけるＰＤＮ  ＧＷに通信されている特定のＡＭＢＲに準拠するために、ＰＤＮ  ＧＷにおける３ＧＰＰ  ＰＣＥＦによってレート制限され得る。
【００１３】
よって、ＵＬリソースは、ＵＥによって報告されたトラフィック量に応じてノードＢ１１０におけるスケジューラの適切な論理構成要素によって割り当てられ、ＵＥ毎に割り当てられる。割り当てられたグラントへの無線ベアラー２０５のスケジューリングは、ノードＢ１１０により、無線ベアラーの確立においてそれに通信される優先度に基づいてＵＬパケット・スケジューラの論理機能を使用してＵＥ１０５によって行われる。ＵＥ１０５による無線ベアラー・スケジューリングを制御するために、無線ベアラー間のＵＬリソースの共有を管理するＵＬレート制御機能が３ＧＰＰに規定されている。ノードＢ１１０におけるスケジューラは、コア・ネットワーク（ＣＮ）によって通信されたサービス品質（ＱｏＳ）パラメータ（ＧＢＲベアラーのＧＢＲ値やＱｏＳラベルなど）に基づいて、スケジューリング・パラメータ（絶対優先度値、及び優先ビット・レート（ＰＢＲ）値など）で無線ベアラー２０５それぞれを構成する。更に、最大ビット・レート（ＭＢＲ）は任意的には、無線ベアラー２０５毎に構成される。割り当てられた優先度値及びＰＢＲは、無線ベアラー構成情報ととともにＵＥ１０５にシグナリングされる。優先度値は、コア・ネットワーク（ＣＮ）１１５から受信されたＱｏＳ情報に基づいてノードＢ１１０によって決定される。このようにして、無線ベアラー毎に施される、ＵＥにおけるＵＬレート制御限度を設定し、そのＰＢＲ値まで優先度順序の降順にその無線ベアラー２０５がサーブすることを確実にする。
【００１４】
残っている利用可能なリソースが存在している場合、無線ベアラー２０５は全て、（構成された場合）そのＭＢＲまで、優先度順序の厳密な降順でサーブされる。ＭＢＲが構成されていない場合、無線ベアラー２０５は、ＵＬグラントがなくなる時点と、その無線ベアラー２０５がなくなる時点のうち、最初に生起する時点までサーブされる。一般に、前述のパラメータは、３ＧＰＰロングターム・エボリューションの場合に該当するスケジューリング優先度パラメータである。
【００１５】
しかし、前述のスケジューリング・パラメータ（例えば、３ＧＰＰ  ＬＴＥ無線通信システムの場合における（任意的な）ＭＢＲ、及びＰＢＲ、優先度）の割り当ては、この無線ベアラーがサーブするＵＥ−ＰＤＮ接続全体に該当するＡＭＢＲに関連付けられない。２つのベアラーが同じＱｏＳ特性（例えば、ＱｏＳラベル）を有する場合、別々の２つのＰＤＮ接続（例えば、高ＡＭＢＲ値のものや、低ＡＭＢＲ値のもの）に属していても、何れの無線ベアラーも、ＡＭＢＲがノードＢに伝達されないということを前提とすれば、同じスケジューリングの扱いを受けるということをこのことは事実上、意味する。よって、このシナリオは、非効率的であり、貴重なリソースの浪費になる。例えば、ベアラーが、ＡＭＢＲが高い仮想プライベート・ネットワーク（ＶＰＮ）からのハイパー・テキスト転送プロトコル（ＨＴＴＰ）トラフィック及びＡＭＢＲが低いインターネットからのＨＴＴＰトラフィックをサーブした場合、ノードＢ１１０及びＵＥ１０５における同じスケジューリングの扱いは両方に当てはまる。
【００１６】
よって、現在の手法は、準最適である。よって、セルラー・ネットワークを介してＡＭＢＲを扱うという課題に対処するための改良された機構が効果的である。
【発明の概要】
【発明が解決しようとする課題】
【００１７】
よって、本発明は、単一で、又は何れかの組合せで、前述の欠点の１つ又は複数を緩和し、軽減し、なくそうとするものである。
【課題を解決するための手段】
【００１８】
本発明の第１の局面によれば、少なくとも１つのパケット・データ・ネットワーク（ＰＤＮ）接続を備えた無線通信装置をサーブする第１のネットワーク構成要素を備えた無線通信システムにおけるシグナリングの方法を提供する。方法は、無線通信装置アップリンク（ＵＬ）ＰＤＮ伝送に関するシグナリング・メッセージを、第１のネットワーク構成要素により、無線通信装置に送信する工程を含む。シグナリング・メッセージは、少なくとも１つの合計最大ビット・レート（ＡＭＢＲ）値を示すパラメータを含む。
【００１９】
このようにして、アップリンク・リソースを不必要に浪費することなく、ノードＢにおけるＡＭＢＲ値をポリシングする機構は、ＵＥ−ＰＤＮ接続上でサーブする無線ベアラーについて実行されなければならないＵＬ  ＡＭＢＲの値に適切なスケジューリング・パラメータを割り当てるためにノードＢにおけるスケジューラ機能などを修正することによって提供される。
【００２０】
よって、本発明の実施例は、通信システムにおいてアップリンク・リソースをより効率的に利用することにより、通信リソースの改良された使用を可能にし得る。
【００２１】
よって、本発明は、例えば、ＡＭＢＲ値を超えた場合に、後に廃棄しなければならないことがあり得る、ＵＥによって送信されたノードＢアップリンク（ＵＬ）トラフィックによって受け入れないという結果として、通信システムにおけるアップリンク・リソースを更に効率的に利用することにより、通信リソースを使用の改良を可能にし得る。よって、後に廃棄されなければならないことがあり得るトラフィックを受け入れないことにより、通信システムにおける容量を増加させ、増加させたスループット・レートを提供することができる。更に、本発明は、エンドユーザによって認識される特性の向上を可能にし得、
特定のＰＤＮ接続に向けてＵＥによって送信されるＵＬ  ＡＭＢＲを制御することがなおできる状態で、システムによってサポートすることが可能ないくつかのユーザをネットワーク事業者が増加させることも可能にし得る。
【００２２】
本発明の任意的な特徴によれば、前述の送信する工程は、少なくとも１つのＰＤＮ接続の確立の一部として送信する工程を含む。このようにして、シグナリング・メッセージは、少なくとも１つのＰＤＮ接続を確立するために既存のメッセージ内で実現することができる。
【００２３】
本発明の任意的な特徴によれば、シグナリング・メッセージは少なくとも１つのＡＭＢＲ値を含む。このようにして、ネットワーク構成要素によって生成される必要があるパラメータの関連付けは回避され、ＡＭＢＲ値は直接供給され得る。
【００２４】
本発明の任意的な特徴によれば、シグナリング・メッセージは少なくとも１つのＡＭＢＲ値に関連付けられたパラメータを含む。このようにして、既存のシグナリングされたパラメータは、少なくとも１つのＡＭＢＲ値を反映する（少なくとも１つのＡＭＢＲ値に関連付けられる）よう修正され得る。
【００２５】
本発明の任意的な特徴によれば、方法は、少なくとも１つのＡＭＢＲ値に基づいて少なくとも１つのＰＤＮ接続に関連付けられたユーザ伝送優先度レベルに、無線通信装置からの受信データ・パケットを第１のネットワーク構成要素によって関連付ける工程を更に含む。このようにして、ユーザ伝送優先度レベルは、少なくとも１つのＡＭＢＲ値を反映する（少なくとも１つのＡＭＢＲ値に関連付けられる）ために少なくとも１つのＰＤＮ接続に関連付けられ得る。
【００２６】
本発明の任意的な特徴によれば、ＰＤＮ接続毎の少なくとも１つのＰＤＮ識別子は、少なくとも１つのＡＭＢＲ値に基づいて関連付けることができる。
【００２７】
本発明の任意的な特徴によれば、方法は、少なくとも１つのＡＭＢＲレベルに基づいて、第１のネットワーク構成要素への、無線通信装置のＰＤＮ接続毎に最大ビット・レート（ＭＢＲ）を第１のネットワーク構成要素によって導き出す工程を更に含む。
【００２８】
本発明の任意的な特徴によれば、無線通信システムは、ＰＤＮ接続を介して第２のネットワーク構成要素に、動作するよう結合された第１のネットワーク構成要素を更に備える。方法は、無線通信装置ＵＬ  ＰＤＮ伝送に関するシグナリング・メッセージを、第２のネットワーク構成要素により、第１のネットワーク構成要素に送信する工程を更に含む。このようにして、コア・ネットワークにおける構成要素（例えば、モビリティ管理エンティティ（ＭＭＥ））は、例えば、ＰＤＮ接続毎に少なくとも１つのＡＭＢＲ値を含む無線通信装置のユーザ・プロファイルを介して、ＡＭＢＲ値にアクセスし、ＡＭＢＲ値を通信するよう構成することができる。
【００２９】
本発明の任意的な特徴によれば、方法は、ユーザ伝送優先度値の割り当てが、少なくとも１つのＰＤＮ接続に施されるＡＭＢＲ値を超えた場合に、第１のネットワーク要素によって識別する工程を更に含む。
【００３０】
本発明の任意の特徴によれば、方法は、ＡＭＢＲ値を超えた場合に、少なくとも１つのＰＤＮ接続に関連付けられた少なくとも１つのユーザ伝送優先度値を、第１のネットワーク構成要素により、再割り当てを行う工程を更に含む。
【００３１】
本発明の任意の特徴によれば、前述の送信する工程は、第１のネットワーク構成要素との、無線通信装置の少なくとも１つのＰＤＮ接続を確立するための接続手順の一部として送信する工程を含む。このようにして、シグナリング・メッセージは、少なくとも１つのＰＤＮ接続を確立するために既存のメッセージ内で実現することができる。
【００３２】
１つの任意的な実施例では、無線通信装置の少なくとも１つのＰＤＮ接続は、無線通信装置がアクセスを有する複数のＰＤＮ接続を有する。例えば、接続手順により、無線通信装置がアクセスを有する複数のＰＤＮ接続を確立することができる。
【００３３】
１つの任意的な実施例では、方法は、第３世代パートナーシップ・プロジェクト（３ＧＰＰ）セルラー通信システムに適用することができる。任意的な１つの実施例では、方法は、３ＧＰＰエボルブド・パケット・システム（ＥＰＳ）アーキテクチャに施すことができる。
【００３４】
１つの任意的な実施例では、方法は、ＷｉＭＡＸセルラー通信システムに適用することができる。
【００３５】
本発明の第２の局面によれば、前述の無線通信装置の動作を行うよう適合された無線通信装置を提供する。
【００３６】
本発明の第３の局面によれば、前述のネットワーク構成要素の動作を行うよう適合されたネットワーク構成要素を提供する。
【００３７】
本発明の第４の局面によれば、少なくとも１つのパケット・データ・ネットワーク（ＰＤＮ）接続を介して無線通信装置に無線通信システムにおけるシグナリングを提供するよう構成されたネットワーク構成要素を提供する。ネットワーク構成要素は、無線通信装置に、無線通信装置アップリンク（ＵＬ）ＰＤＮ伝送に関するシグナリング・メッセージを送信するロジックを備え、シグナリング・メッセージは、少なくとも１つの合計最大ビット・レート（ＡＭＢＲ）値を示すパラメータを含む。
【００３８】
本発明の第５の局面によれば、少なくとも１つのパケット・データ・ネットワーク（ＰＤＮ）接続を介してネットワーク構成要素から、無線通信システムにおいてシグナリング・メッセージを受信するよう構成された無線通信装置を提供する。無線通信装置は、無線通信装置のアップリンク（ＵＬ）ＰＤＮ伝送に関するシグナリング・メッセージを受信するロジックを備え、シグナリング・メッセージは、少なくとも１つの合計最大ビット・レート（ＡＭＢＲ）値を示すパラメータを含む。
【００３９】
本発明の第６の局面によれば、少なくとも１つのパケット・データ・ネットワーク（ＰＤＮ）接続を備えた無線通信装置をサーブする第１のネットワーク構成要素を備えた無線通信システムにおけるシグナリングの方法を提供する。方法は、無線通信装置からのアップリンク（ＵＬ）ＰＤＮ伝送に関するシグナリング・メッセージを、第１のネットワーク構成要素から無線通信装置によって受信するロジックを備え、シグナリング・メッセージは、少なくとも１つの合計最大ビット・レート（ＡＭＢＲ）値を示すパラメータを含む。
【００４０】
本発明の第７の局面によれば、少なくとも１つのパケット・データ・ネットワーク（ＰＤＮ）接続を介して無線通信装置へのネットワーク構成要素からの、無線通信システムにおけるシグナリングのためのプログラム・コードを含むコンピュータ・プログラム・プロダクトを提供する。コンピュータ・プログラム・プロダクトは、無線通信装置に、無線通信装置アップリンク（ＵＬ）ＰＤＮ伝送に関するシグナリング・メッセージを送信するためのプログラム・コードを備え、シグナリング・メッセージは、少なくとも１つの合計最大ビット・レート（ＡＭＢＲ）値を示すパラメータを含む。
【図面の簡単な説明】
【００４１】
【図１】ＡＭＢＲを使用した既知の３ＧＰＰシステムを示す図である。
【図２】ＵＬの場合はノードＢにおいて行われ、ＤＬトラフィックの場合はＧＷにおいて行われる既知のＡＭＢＲポリシングを示す図である。
【図３】一部の実施例によって適合されたシステム・アーキテクチャを示す図である。
【図４】一部の実施例による、接続手順及びベアラー確立を示す図である。
【図５】一部の実施例による、ＥＰＳ／ＬＴＥシステムの接続手順及びベアラー確立を示す図である。
【図６】一部の実施例による、同じＵＥ−ＰＤＮ接続に対応するベアラーのグループのスケジューリング機構を示す図である。
【図７】本発明の実施例における処理機能を実現するよう使用することができる通常のコンピューティング・システムを示す図である。
【発明を実施するための形態】
【００４２】
本発明の前述及び他の局面は、後述する実施例を参照すると、明らかであり、明らかにされるであろう。
【実施例】
【００４３】
以下の説明は、エボルブドＵＭＴＳ（ユニバーサル・モバイル通信システム）セルラー通信システムに適用可能であり、特に、第３世代パートナーシップ・プロジェクト（３ＧＰＰ）におけるエボルブド・パケット・システム（ＥＰＳ）コア・ネットワーク（ＣＮ）に適用可能である。しかし、本発明は、特定のセルラー通信システムに限定されない一方、他のセルラー通信システムに適用することができる。
【００４４】
本発明の実施例は、通信端点が、ネットワークにおいて当初、ブートストラップし、接続すると、静的加入者データベースからその関連付けられたＰＤＮ接続識別子を備えたＡＭＢＲパラメータを得ることを提案している。更に、かつ、効果的には、ＡＭＢＲが、ＰＤＮ接続毎のＡＭＢＲをポリシングし、実行する役割を果たすネットワーク構成要素に、その関連付けられたＰＤＮ接続識別子とともに通信される。
【００４５】
更に、特定の実施例は、通信端点（例えば、ＵＥ）が有し得る複数のＰＤＮ接続のＡＭＢＲを実行するネットワーク構成要素を提案している。よって、ネットワーク構成要素は、動的に変動するリソースの環境において複数の通信端点をサーブする役割を果たすよう構成される。
【００４６】
次に図３を参照すれば、無線通信システム３００を、本発明の一実施例に応じて概説する。この実施例では、無線通信システム３００は、ユニバーサル・モバイル通信システム（ＵＭＴＳ）エア・インタフェースに準拠し、ＵＭＴＳエア・インタフェースを介して動作することができるネットワーク構成要素を含む。特に、この実施例は、３ＧＰＰにおいて現在議論されているエボルブドＵＴＲＡＮ（Ｅ−ＵＴＲＡＮ）のシステム・アーキテクチャに関する。これは、ロング・ターム・エボリューション（ＬＴＥ）としても表す。
【００４７】
アーキテクチャは、無線アクセス・ネットワーク（ＲＡＮ）及びコア・ネットワーク（ＣＮ）構成要素を含み、コア・ネットワーク３０４は、インターネットや企業ネットワークなどの、パケット・データ・ネットワーク（ＰＤＮ）と呼ばれる外部ネットワーク３０２に結合される。ＲＡＮの主構成部分は、Ｓ１インタフェースを介してＣＮ３０４に接続され、Ｕｕインタフェースを介してＵＥ３２０に接続されたイーノードＢ（ｅＮｏｄｅＢ：エボルブド・ノードＢ）３１０、３２０である。イーノードＢ３１０、３２０は、無線リソース関連機能を制御し、管理する。一連のノードＢ３１０、３２０は通常、ネットワークの下位層の処理、媒体アクセス制御（ＭＡＣ）などの機能の実行、送信のためのデータのブロックのフォーマッティング、ＵＥ２２５への伝送ブロックの物理的な伝送を行う。ノードＢが通常に実行する前述の機能に加えて、適合されたノードＢ３１０のスケジューラの論理構成要素は、ＰＤＮ  ＧＷ３０５に配置された３ＧＰＰ  ＰＣＥＦがダウンリンク（ＤＬ）において前述のレート制限を実現する機能の部分集合を提供するために、特定のＵＥ−ＰＤＮ接続に属する非ＧＢＲベアラーのＵＬ  ＡＭＢＲを実行するよう割り当てられたＰＥＦの論理構成要素と相互作用するよう更に構成される。ＵＬにおけるＰＥＦ論理構成要素のレート制限機能が特定の特性を満たさなければならず、単に無線のトラフィックを通過させ、次いで廃棄することが可能でないという更なる制限が存在している。よって、ノードＢ３１０における適合されたスケジューラは、この動作をサポートするために、ノードＢ３１０に配置されたポリシー実行機能（ＰＥＦ）の論理構成要素によって実行されなければならない、ＡＭＢＲに基づいてＵＥ３２０に通信される適切なスケジューリング・パラメータを導き出すよう構成される。
【００４８】
ＣＮ３０４は、サーブするＧＷ３０６、ＰＤＷ  ＧＷ（ＰＧＷ）３０５、及びモビリティ管理エンティティ（ＭＭＥ）３０８という３つの主構成部分を有する。サーブするＧＷ３０６は、Ｕプレーン（ユーザ・プレーン）通信を制御する。ＰＤＮ−ＧＷ３０５は、適切な外部ネットワーク（例えば、ＰＤＮ）に対するアクセスを制御する。この動作に加えて、一実施例では、ＰＤＮ−ＧＷ３０５は、この特定のＵＥ−ＰＤＮ接続をサーブするいくつかの非ＧＢＲベアラーのＤＬ  ＡＭＢＲをポリシングするよう構成される。ＭＭＥ３０８はｃプレーン（制御プレーン）通信を制御し、デフォールトのベアラーのＱｏＳサポート、ベアラー確立、アイドル・モードＵＥのページ起動、ユーザ・モビリティはＭＭＥ３０８によって処理される。前述の動作に加えて、一実施例では、ＭＭＥ３０８は、ＵＥ３２０が確立することが可能なＰＤＮ接続それぞれに該当するＵＬ及びＤＬのＡＭＢＲ値を、通常、ＤＩＡＭＥＴＥＲ（ＲＦＣ３５８８におけるような）やＲＡＤＩＵＳ（ＲＦＣ２８６５におけるような）などのプロトコルによる、ホーム加入者サーバ（ＨＳＳ）３３０へのデータベース・クエリ機能を使用して導き出すよう構成される。ＵＬ及びＤＬのＡＭＢＲ値は、ＵＥの認証、サービスの階層の点でのユーザ・クラスや、他の静的情報に使用されるユーザ信用証明書を含み得るＨＳＳ３３０などの、静的データベースに記憶することができるＵＥの加入プロファイル及びプロビジョニング情報に基づく。
【００４９】
ＵＬ  ＡＢＭＲ値は、ＵＬ  ＡＭＢＲを実行するよう割り当てられたノードＢにおけるＰＥＦの論理構成部分に通信され、ＤＬ  ＡＭＢＲ値は、ＵＥ３２０が当初接続するＰＤＮ  ＧＷ３０５における３ＧＰＰ  ＰＣＥＦ  に通信される。
【００５０】
Ｅ−ＵＴＲＡＮ  ＲＡＮは、ダウンリンク（ＤＬ）におけるＯＦＤＭＡ（直交周波数分割多元アクセス）及びアップリンク（ＵＬ）におけるＳＣ−ＦＤＭＡ（単一キャリア周波数分割多元アクセス）に基づく。Ｅ−ＵＴＲＡＮにおいて使用される無線フレーム形式及び物理層の構成の更なる情報は、ＴＳ３６．２１１（３ＧＰＰ  ＴＳ３６．２１１  ｖ．１．１．１  （２００７−０５）、「３ＧＰＰ  Ｔｅｃｈｎｉｃａｌ  ｓｐｅｃｉｆｉｃａｔｉｏｎ  ｇｒｏｕｐ  ｒａｄｉｏ  ａｃｃｅｓｓ  ｎｅｔｗｏｒｋ，  ｐｈｙｓｉｃａｌ  ｃｈａｎｎｅｌｓ  ａｎｄ  ｍｏｄｕｌａｔｉｏｎ  （ｒｅｌｅａｓｅ  ８）」を参照されたい。
【００５１】
ノードＢ３１０は、ＵＥ３２５に無線で接続される。ノードＢはそれぞれ、それぞれの信号処理ロジック３１２、３２２に動作するよう結合された１つ又は複数のトランシーバー装置３１２、３２２を含む。同様に、ＵＥはそれぞれ、動作するよう信号処理ロジック３２９に結合されたトランシーバー装置３２７を含み（明瞭にする目的でのみ、１つのＵＥを前述の詳細度で示す）、それぞれの場所領域における通信をサポートするノードＢと通信する。システムは、他の多くのＵＥ及びノードＢを含むが、明瞭にする目的で示していない。
【００５２】
ＡＭＢＲ値のシグナリング
本発明の一実施例によれば、ＵＥ３２５、ノードＢ３１０、ＭＭＥ３０８、ＧＷ３０５、３０６及びＡＡＡ間の相互作用は、ＡＭＢＲシグナリングの改良された使用をサポートするよう適合されている。特に、ＵＥ−ＰＤＮ接続毎のＡＭＢＲ値は、ＣＮから無線アクセス・ネットワークへのＰＤＮゲートウェイ識別子とともに、ＵＥが有する利用可能なＰＤＮ接続を十分に伝達するために伝達される。この機構は、以下に、図４に関して更に詳細に説明する。
【００５３】
次に図４を参照すれば、無線通信システムにおけるエンドツーエンド・ベアラー確立の、
（ｉ）ＵＥ起動、及び
（ｉｉ）ネットワーク起動
という２つの可能性を示す単一のシグナリング・フロー図を例証する。
【００５４】
このシグナリング交換は、本明細書及び特許請求の範囲記載の実施例の説明に適切でないくつかの他のメッセージ及び他の情報も含み得る。
【００５５】
工程４３０では、ＵＥ３２５は、例えば、その一時識別情報（例えば、ＵＥシステム・アーキテクチャ・エボリューション（ＳＡＥ）−一時モバイル加入者識別情報（Ｓ−ＴＭＳＩ）又はパケット−一時モバイル加入者識別情報（Ｐ−ＴＭＳＩ））をノードＢ３１０に送出することにより、接続手順を起動させる。
【００５６】
ＵＥ起動ベアラー確立の場合、アクセス・ポイント名（ＡＰＮ）は、ＵＥ３２５が接続する必要があるＰＤＮをサーブする適切なゲートウェイ４２０を示す。
【００５７】
ネットワーク起動の場合、ＵＥ３２５がその加入プロファイルからアクセスすることが可能なＰＤＮ全てへの接続をＭＭＥ３０８が確立するので、何らかの表示をＵＥ３２５が備える必要はない。
【００５８】
工程４３５では、ノードＢ３１０は、接続要求を転送しなければならない適切なＭＭＥ３０８を、ＵＥ３２５の一時識別情報（例えばＵＥ  Ｓ−ＴＭＳＩ又はＰ−ＴＭＳＩ）から導き出す。工程４４０、４４５では、ＭＭＥ３０８は、ＵＥ３２５との間で認証手順を完了する。
【００５９】
工程４５０では、ＭＭＥ３０８は、ＵＥ３２５がアクセスを有するＰＤＮ全てに関する情報を含む、ＵＥ３２５の加入者情報を導き出す。この段階で、ＭＭＥ３０８は、例えば、以下の表１に示すように、ＵＥ３２５の表を構成することができなければならない。
【００６０】
【表１】
0005354079.tif 000002
工程４５５では、ＭＭＥ３０８はベアラー要求を設け、送出するか、（又は、ＵＥ起動の確立であるか、ネットワーク起動の確立であるかに応じてベアラーを要求して）ＧＷ３０５、３０６への接続を設ける。
【００６１】
ＵＥ起動の確立の場合、工程４３０で、接続することを要するＡＰＮを介して単一のＧＷアドレスをＵＥ３２５が示したであろうということを前提とすれば、ＭＭＥ３０８は、このＧＷ３０５、３０６にのみ、ベアラー要求を送出する。ベアラー要求は、ＧＷ３０５、３０６がこの接続について実行しなければならないＤＬ  ＡＭＢＲを含む。
【００６２】
ネットワーク起動のベアラー確立の場合、ＭＭＥ３０８は、例えば、工程４５０で得たＡＰＮのリストによって識別される、ＵＥ３２５がアクセスを有するＰＤＮをサーブするＧＷ全てにベアラー要求を送出する。一実施例では、上記要求は、適切なＧＷが実行しなければならないＡＰＮ毎のＤＬ  ＡＭＢＲを含む。
【００６３】
工程４６０では、ＧＷ３０５、３０６は、ベアラー応答を設け、送出する。ＵＥ起動の場合、ベアラー要求を受信した選択されたＧＷ３０５、３０６のみが応答を送出する。
【００６４】
工程４６５では、ＭＭＥ３０８は、ＵＬ  ＡＭＢＲの値及びＱｏＳ情報を含むノードＢ３１０に接続応答を送出する。ＵＥ起動の確立の場合、接続応答メッセージは、特定のＵＥ  ＰＤＮ接続によって要求される情報のみを含む。ネットワーク起動の確立の場合、接続応答メッセージは、ＵＥがアクセスを有するＡＰＮ全てのＵＬ  ＡＭＢＲ及びＱｏＳに関する情報全てを含む。
【００６５】
工程４７０では、工程４６５で供給された情報に応じて、ノードＢ３１０が、適切な無線ベアラーを確立する。ＵＥ起動の確立の場合、これは、この特定のＵＥ−ＰＤＮ接続に対応する１つの無線ベアラーのみの確立につながる。ネットワーク起動の確立の場合、この段階におけるノードＢ３１０は、ＵＥの要求されたＰＤＮ接続全てをサーブするために無線ベアラー全てを確立する。
【００６６】
スケジューリング・パラメータを求めるために、工程４６５において供給される情報を扱うためにノードＢ３１０によって使用される機構は以下の通りである。
【００６７】
次に図５を参照すれば、拡張された実施例を、ＥーＵＴＲＡＮのコア・ネットワークにおけるＡＭＢＲシグナリングに関して説明する。３ＧＰＰ  ＴＳ２３．４０１、「ＧＰＲＳ  ｅｎｈａｎｃｅｍｅｎｔｓ  ｆｏｒ  Ｅ−ＵＴＲＡＮ  ａｃｃｅｓｓ、Ｒｅｌｅａｓｅ  ８」に規定されるように、ＵＥ４０５がアクセスを有するＰＤＮそれぞれに関連付けられたＡＭＢＲは、加入者情報に基づいて、ホーム加入者サーバ（ＨＳＳ）（初期のＧＳＭベースのシステムにおけるホーム・ロケーション・レジスタと同等である）に記憶される。ＡＭＢＲは、図４の工程４３０、４３５に示す「接続」手順に一部としてＭＭＥ４１５によって取り出される。
【００６８】
例として、以下の情報は、以下の表２に示すように、ＵＥ毎にＨＳＳに記憶することができる。
【００６９】
【表２】
0005354079.tif 000003
この情報は、ＵＥが接続した後、ＭＭＥ４１５において取り出され、ＤＬポリシング及びＵＬポリシングそれぞれについてＰＤＮ  ＧＷ４２２及びイーノードＢ４１０において供給される。
【００７０】
この点で、ＡＭＢＲのＤＬ値は、ＰＤＮ  ＧＷ４２２がＤＬにおいてＡＭＢＲをポリシングすることができるために、工程５５０に示すように、「デフォールトのベアラーのメッセージの作成」の一部としてＭＭＥ４１５からＰＤＮ  ＧＷ４２２に送出することができる。この点で、工程５５５に示すように、「接続受け入れ」のメッセージの一部としてＭＭＥ４１５からイーノードＢ４１０に送出することもできる。
【００７１】
よって、以下の更なるシグナリングが、前述の通信を実現するために、３ＧＰＰ  ＴＳ２３．４０１、「ＧＰＲＳ  ｅｎｈａｎｃｅｍｅｎｔｓ  ｆｏｒ  Ｅ−ＵＴＲＡＮ  ａｃｃｅｓｓ、Ｒｅｌｅａｓｅ  ８」に記載されたＥＰＳ／ＬＴＥの「接続」手順に対して提案されている。
【００７２】
ＨＳＳ５１０は、工程５１５で、加入者データ挿入メッセージ（例えば、ＩＭＳＩ、加入データ）を新たなＭＭＥ４１２に送出する。加入者データは、ＵＥ４０５がアクセスを有するＡＰＮのＵＬ及びＤＬのＡＭＢＲ値、並びにデフォールトＡＰＮを含む。新たなＭＭＥ４１２は、（新たな）追跡領域／場所領域（ＴＡ／ＬＡ）においてＵＥの存在を検証する。地域加入制限又はアクセス制限により、ＵＥ４０５がＴＡ／ＬＡにおいて接続することが可能でない場合、新たなＭＭＥ４１２は、適切な原因で、工程４３５において、接続要求を却下することができ、「加入者データ挿入ＡＣＫ」メッセージ５２０をＨＳＳ５１０に戻し得る。加入検査が他の理由で首尾良く行われなかった場合、新たなＭＭＥ４１２は、接続要求４３０、４３５を、適切な原因で却下することができ、エラーの原因を含む加入者データ挿入ＡｃｋメッセージをＨＳＳに戻す。検査が全て首尾良く行われた場合、新たなＭＭＥ４１２は、ＵＥ４０５のコンテキストを構成し、加入者データ挿入Ａｃｋメッセージ５２０をＨＳＳ５１０に戻す。ＨＳＳは、３ＧＰＰ  ＴＳ２３．４０１、「ＧＰＲＳ  ｅｎｈａｎｃｍｅｎｔｓ  ｆｏｒ  Ｅ−ＵＴＲＡＮ  ａｃｃｅｓｓ」のｓｅｃｔｉｏｎ  ５．３．２に記載された既存の処理に応じて、工程５２５に示すように、新たなＭＭＥ４１２に場所更新肯定応答メッセージを送出し得る。
【００７３】
工程５３０では、新たなＭＭＥ４１２は、前述の標準における「ＧＷ選択機能」で説明したサーブするＧＷ４２０を選択し、デフォールトのベアラーの作成の要求（ＩＭＳＩ、ＭＭＥコンテキストＩＤ、デフォールトのベアラーのＱｏＳ、デフォールトＡＦＮのＤＬ  ＡＭＥＲ）メッセージを、選択されたサーブするＧＷ４２０に送出する。
【００７４】
工程５３５では、サーブするＧＷ４２０は、そのＥＰＳベアラー・テーブルにおいて新たなエントリを作成し、デフォールトのベアラーの作成の要求（ユーザ・プレーンのサーブするＧＷアドレス、ユーザ・プレーンのサービスするＧＷ  ＴＥＩＤ、制御プレーンのサーブするＧＷ  ＴＥＩＤ、デフォールトのベアラーのＱｏＳ、デフォールトＡＰＮのＡＭＢＲ）メッセージをＰＤＮ  ＧＷ４２２に送出する。
【００７５】
工程５４０では、ＰＤＮ  ＧＷ４２２は、ＰＣＲＦがネットワークにおいて施された場合、ＵＥ４０５のデフォールトのポリシー制御及び課金（ＰＣＣ）ルールを得るために、ポリシー及び課金ルール機能（ＰＣＲＦ）５０５と相互作用することができる。ＰＤＮ  ＧＷ４２２は次いで、デフォールトのベアラーのＵＥ４０５のＤＬ  ＡＭＢＲを記憶する。
【００７６】
その後のメッセージ５４５及び５５０は、３ＧＰＰ  ＴＳ２３．４０１、「ＧＰＲＳ  ｅｎｈａｎｃｅｍｅｎｔｓ  ｆｏｒ  Ｅ−ＵＴＲＡＮ  ａｃｃｅｓｓ」、Ｒｅｌｅａｓｅ  ８、ｓｅｃｔｉｏｎ  ５．３．２に記載された既存の処理に応じて送出される。
【００７７】
工程５５５では、新たなＭＭＥ４１２は、「接続受け入れ」（Ｓ−ＴＭＳＩ、ＰＤＮアドレス、ＴＡ／ＬＡリストを含む）メッセージをイーノードＢ４１０に送出する。新たなＭＭＥが新たなＳ−ＴＭＳＩを割り当てた場合、Ｓ−ＴＭＳＩが含まれる。このメッセージは、Ｓ１＿ＭＭＥ制御メッセージ当初コンテキスト設定要求に含まれ得る。このＳ１制御メッセージは、ユーザ・プレーンのサーブするＧＷ４２０のアドレス及びユーザ・プレーンに使用されるサーブするＧＷ４２０における端末エンティティ識別子（ＴＥＩＤ）、並びに、無線ベアラーを設定するために必要なＱｏＳ情報、及びＵＥ４０５のセキュリティ・コンテキストも含み得る。
【００７８】
ＵＥ４０５に割り当てられたＰＤＮアドレスがこのメッセージに含まれる。ＵＥ４０５が接続されたＰＤＮ  ＧＷ４２２のＡＰＮもこのメッセージに含まれ得る。新たなＭＭＥ４１２は、ＵＬ  ＡＭＢＲをイーノードＢ４１０に送出する。
【００７９】
工程５６０では、イーノードＢ４１０は、無線ベアラー確立要求をＵＥ４０５に送出し、接続受け入れメッセージ（ＳーＴＭＳＩ、ＰＤＮアドレス、ＴＡリスト、ＡＰＮ）５５５はＵＥ４０５まで送出される。
【００８０】
その後、メッセージ５６５乃至５９０は、３ＧＰＰ  ＴＳ２３．４０１、「ＧＰＲＳ  ｅｎｈａｎｃｅｍｅｎｔｓ  ｆｏｒ  Ｅ−ＵＴＲＡＮ  ａｃｃｅｓｓ」、Ｒｅｌｅａｓｅ  ８、ｓｅｃｔｉｏｎ  ５．３．２に記載されたように送出される。
【００８１】
無線アクセス・ネットワーク、例えば、ノードＢにおけるＡＭＢＲの扱い
本発明の一実施例によれば、ＵＥ３２５、ノードＢ３１０、ＭＭＥ３０８、ＧＷ３０５、３０６及びＡＡＡ間の相互作用は、更に、構成要素間でシグナリングされたＡＭＢＲ情報の改良された使用をサポートするよう適合させている。特に、ＡＭＢＲに応じて特定のＰＤＮ接続に属するトラフィックを優先順位付けることができるように、コア・ネットワーク（ＣＮ）から供給される情報を無線アクセス・ネットワーク（ＲＡＮ）が考慮に入れることを可能にするよう提案されている。拡張された実施例では、ノードＢ３１０においてＡＭＢＲを実行することを提案されている。提案された機構は、通信されたＱｏＳ情報に加えて、ＰＥＦが行わなければならないＵＥ−ＰＤＮ接続に対応する無線ベアラーの組全体に施されるＵＬ  ＡＭＢＲの実行を反映するために、適切なスケジューリング優先度パラメータ値（例えば、３ＧＰＰにおけるＭＢＲ、ＰＢＲ、優先度値）を無線ベアラーに割り当てるよう、ノードＢ３１０におけるスケジューラを構成する。更に、スケジューリング優先度を割り当て、必要なだけ、必要に応じて、ＵＥーＰＤＮ接続に該当するＡＭＢＲをポリシングするようノードＢ４１０とＵＥ４０５との間のシグナリングを最適化すること（シグナリング・オーバヘッドの削減）が提案されている。
【００８２】
ＵＥ４０５が複数のＰＤＮ接続を有する場合、ノードＢ４１０におけるＰＥＦロジックは、各ＰＤＮ接続に別個に属するＵＬトラフィックをポリシングする必要がある。したがって、ノードＢ４１０におけるＰＥＦロジックは、ベアラー確立中に、アクセス・ベアラーとＰＤＮ接続との間の関連付けについて、通知されているべきである。
【００８３】
図４の工程４７０では、トラフィック・ポリシングの最も単純なケースは、特定のＰＤＮ接続のＡＭＢＲ値をＵＬトラフィックが超える場合であり、データはノードＢ４１０において廃棄することができる。しかし、データは、エア・インタフェースを介して既に送信されている。よって、既に送信されたデータをノードＢ４１０において廃棄することにより、無線リソースの使用が非効率になる。
【００８４】
本発明の実施例は、ＭＭＥが少なくとも１つの合計最大ビット・レート（ＡＭＢＲ）値を取得し、これをノードＢのＰＥＦロジックに通信することを参照して説明しているが、別の実施例では、ノードＢのＰＥＦロジックがＵＬ  ＡＭＢＲ  値を直接取得することが可能であり得る。このシナリオでは、ノードＢは、ＡＡＡサーバ（又は、３ＧＰＰシステムの場合におけるホーム加入者サーバ）への直接のインタフェースを有し、デフォールトのベアラーの機能自体のＱｏＳプロビジョニング、モビリティ管理、及びユーザ認証を行うよう構成される。すなわち、前述のシナリオでは、ＭＭＥの現在の機能は全て、ノードＢにおいて実施される。
【００８５】
更に、本発明の実施例は、ＭＭＥが少なくとも１つの合計最大ビット・レート（ＡＭＢＲ）値を取得し、これをノードＢに通信し、ノードＢが、少なくとも１つのＰＤＮ識別子とのＡＭＢＲの関連付けを生成することを参照して説明しているが、別の実施例では、ノードＢは、ＡＭＢＲ値を取得し、無線通信装置（例えば、ＵＥ）に直接、送信することが可能であり得る。このシナリオでは、ＵＥは、特定のＵＥーＰＤＮ接続に属するいくつかの無線ベアラーについてＵＬ  ＡＭＢＲをポリシングする役割を果たす。ＡＭＢＲに加えて、このシナリオでは、ＰＤＮ識別子の情報を、無線ベアラーの確立により、ノードＢにより、ＵＥに通信することができる。しかし、無線リソースの管理に関連付けられたＡＭＢＲのポリシングが、同様な通信システムにおいてアントラステッド・エンティティ（ｕｎｔｒｕｓｔｅｄ  ｅｎｔｉｔｙ）と通常、みなされるＵＥにのみ、中継されるということを発明者は認識している。
【００８６】
ＰＤＮ接続毎に絶対優先度を割り当てることに基づく、ノードＢにおけるＡＭＢＲ処理
次に図６を参照すれば、ノードＢにおけるスケジューリングを行うために考えられる機能を示す。機構は、ベアラーの確立の一部として通信されているＡＭＢＲ値に基づき、ＰＤＮ  ＧＷ４２２又は４２４（例えば、３ＧＰＰにおけるＡＰＮ）の識別子（ＩＤ）は、無線ベアラー構成中に、割り当てられたスケジューリング優先度パラメータ（例えば、３ＧＰＰにおけるＰＢＲ及び絶対優先度値）とともにＵＥ４０５にシグナリングすることができる。このシグナリングに加えて、絶対優先度が、特定のＰＤＮ接続に関係するベアラーのグループに適用するようシグナリングされる。例えば、各無線ベアラーに適用する優先度は２つのステップにおいて規定することができる。まず、各ＰＤＮ接続に、絶対優先度値が与えられる（Ｐｉ  ５０５  Ｐｚ  ５１０）。第２に、無線ベアラーの優先度には、ＰＤＮ接続の絶対優先度値に対する相対値が割り当てられる。よって、ＵＥ４０５は、ＰＤＮ接続の絶対優先度値及び無線ベアラーの相対優先度を考慮に入れることにより、無線ベアラーの絶対優先度値を算出することができる。
【００８７】
明瞭にする目的で、上記説明は、別々の装置及びプロセッサを参照して本発明の実施例を説明している。しかし、別々の機能的装置又はプロセッサ間での機能の何れかの適切な配分（例えば、ブロードキャスト・モード・ロジック又は管理ロジックに対して）を、本発明から逸脱しない限り、使用することができる。例えば、別個のプロセッサ又はコントローラによって行うよう例証された機能は、同じプロセッサ又はコントローラによって行うことができる。よって、特定の機能装置への参照は単に、厳密な論理的又は物理的構造若しくは編成を示すよりも、前述の機能を提供するために適切な手段への参照としてみるものとする。
【００８８】
本発明の局面は、ハードウェア、ソフトウェア、ファームウェア、又は前述の何れかの組み合わせを含む何れかの適切な形態で実現することができる。本発明は、任意的には、１つ又は複数のデータ・プロセッサ上及び／若しくはディジタル信号プロセッサ上で実行するコンピュータ・ソフトウェアとして少なくとも部分的に実現することができる。よって、本発明の実施例の構成要素及び構成部分は、何れかの適切なやり方で物理的、機能的、及び論理的に実現することができる。実際に、機能は、単一のユニットで実現しても、複数のユニットで実現しても、他の機能ユニットの一部として実現してもよい。
【００８９】
図７は、本発明の実施例における処理機能を実現するよう使用することができる通常のコンピューティング・システム７００を示す。このタイプのコンピューティング・システムは、例えば、ＲＮＣ、ＧＧＳＮなどのコア・ネットワーク構成要素、ＵＥ（携帯電話機やＵＳＢ／ＰＣＭＣＩＡモデムなどの統合装置であり得る）や、ノードＢ（特に、ノードＢのスケジューラ）において使用することができる。当業者は更に、他のコンピュータ・システム又はアーキテクチャを使用して本発明を実現する方法を認識するであろう。コンピューティング・システム７００は、例えば、特定のアプリケーション又は環境について望ましいか、又は適切であり得るデスクトップ、ラップトップ、ノートブック・コンピュータ、ハンドヘルド・コンピューティング装置（ＰＤＡ、携帯電話機、パームトップ等）、メーンフレーム、サーバ、クライアント、又は何れかの他のタイプの専用又は汎用のコンピューティング装置を表し得る。コンピューティング・システム７００は、プロセッサ７０４などの１つ又は複数のプロセッサを含み得る。プロセッサ７０４は、例えば、マイクロプロセッサ、マイクロコントローラや他の制御ロジックなどの汎用又は専用の処理エンジンを使用して実現することが可能である。この例では、プロセッサ７０４は、バス７０２又は他の通信媒体に接続される。
【００９０】
コンピューティング・システム７００は、プロセッサ７０４によって実行される対象の命令及び情報を記憶するために、ランダム・アクセス・メモリ（ＲＡＭ）や他のダイナミック・メモリなどの主メモリ７０８も含み得る。主メモリ７０８は、プロセッサ７０４によって実行される対象の命令の実行中に一時変数や他の中間情報を記憶するために使用することもできる。コンピューティング・システム７００は同様に、プロセッサ７０４に対する命令及び静的情報を記憶するために、バス７０２に結合されたリード・オンリ・メモリ（ＲＯＭ）や他の静的記憶装置を含み得る。
【００９１】
コンピューティング・システム７００は、例えば、メディア・ドライブ７１２及び着脱可能な記憶インタフェース７２０を含み得る情報記憶システム７１０も含み得る。メディア・ドライブ７１２は、ハード・ディスク・ドライブ、フロッピー（登録商標）・ディスク・ドライブ、磁気テープ・ドライブ、光ディスク・ドライブ、コンパクト・ディスク（ＣＤ）やディジタル・ビデオ・ドライブ（ＤＶＤ）読み取り又は書き込みドライブ（Ｒ又はＲＷ）や、他の着脱可能な、若しくは固定のメディア・ドライブなどの固定の、又は着脱可能な記憶媒体をサポートするためのドライブや他の機構を含み得る。記憶媒体７１８は、メディア・ドライブ７１４によって読み取られ、書き込まれる、例えば、ハード・ディスク、フロッピー（登録商標）・ディスク、磁気テープ、光ディスク、ＣＤ若しくはＤＶＤや他の固定の、若しくは着脱可能な媒体を含み得る。前述の例が例証するように、記憶媒体７１８は、特定のコンピュータ・ソフトウェア又はデータを記憶させたコンピュータ読み取り可能な記憶媒体を含み得る。
【００９２】
別の実施例では、情報記憶システム７１０は、コンピューティング・システム７００にコンピュータ・プログラムや他の命令又はデータをロードすることを可能にするための他の同様な構成部分を含み得る。前述の構成部分は例えば、着脱可能な記憶装置７１８からコンピューティング・システム７００にソフトウェア及びデータを転送することを可能にする、着脱可能な記憶装置７２２及びインタフェース７２０（プログラム・カートリッジやカートリッジ・インタフェースなど）、着脱可能なメモリ（例えば、フラッシュ・メモリや他の着脱可能なメモリ・モジュール）及びメモリ・スロット、並びに他の着脱可能な記憶装置７２２及びインタフェース７２０を含み得る。
【００９３】
コンピューティング・システム７００は、通信インタフェース７２４も含み得る。通信インタフェース７２４は、コンピューティング・システム７００と外部装置との間でソフトウェア及びデータを転送することを可能にするために使用することが可能である。通信インタフェース７２４の例には、モデム、（イーサネット（登録商標）や他のＮＩＣカードなどの）ネットワーク・インタフェース、通信ポート（例えば、ユニバーサル・シリアル・バス（ＵＳＢ）ポートなど）、ＰＣＭＣＩＡスロット及びカード等を含み得る。通信インタフェース７２４を介して転送されるソフトウェア及びデータの形式は、通信インタフェース７２４によって受信することができる電子信号、電磁気信号、光信号や他の信号であり得る信号の形式であり得る。前述の信号は、チャネル７２８を介して通信インタフェース７２４に供給される。このチャネル７２８は、信号を搬送することができ、無線媒体、有線又はケーブル、光ファイバや他の通信媒体を使用して実現することができる。チャネルの特定の例には、電話回線、セルラー電話リンク、ＲＦリンク、ネットワーク・インタフェース、ローカル・エリア・ネットワーク又はワイド・エリア・ネットワーク、及び他の通信チャネルがある。
【００９４】
本明細書及び特許請求の範囲では、「コンピュータ・プログラム・プロダクト」、「コンピュータ読み取り可能な媒体」等は、一般に、例えば、メモリ７０８、記憶デバイス７１８や記憶装置７２２などの媒体を表すために使用され得る。コンピュータ読み取り可能な媒体の前述及び他の形態は、特定の動作をプロセッサに行わせるためにプロセッサ７０４によって使用されるための１つ又は複数の命令を記憶し得る。前述の命令は、一般に、（コンピュータ・プログラムや他のグルーピングの形式にグループ化することができる）「コンピュータ・プログラム・コード」として表され、実行されると、本発明の実施例の機能をコンピューティング・システム７００が行うことを可能にする。上記コードは、直接、プロセッサに、特定の動作を行わせ、そうするようコンパイルさせ、かつ／又は、そうするために他のソフトウェア、ハードウェア、及び／若しくは、ファームウェア構成要素（例えば、標準機能を行うためのライブラリ）と組合せさせ得る。
【００９５】
構成要素がソフトウェアを使用して実現される実施例では、ソフトウェアは、コンピュータ読み取り可能な媒体に記憶され、例えば、着脱可能な記憶ドライブ７１４、ドライブ７１２又は通信インタフェース７２４を使用してコンピューティング・システム７００にロードされ得る。制御ロジック（この例では、ソフトウェア命令又はコンピュータ・プログラム・コード）は、プロセッサ７０４によって実行されると、本明細書及び特許請求の範囲記載の本発明の機能をプロセッサ７０４に行わせる。
【００９６】
明瞭にする目的で、上記説明では、別々の機能的装置及びプロセッサを参照して本発明の実施例を説明している。しかし、別々の機能的装置、プロセッサ又は領域間の機能の何れかの適切な配分を、本発明から逸脱しない限り、使用することができるということが明らかになるであろう。例えば、別個のプロセッサ又はコントローラによって行うよう例証された機能は、同じプロセッサ又はコントローラによって行うことができる。よって、特定の機能装置への参照は単に、厳密な論理的又は物理的構造若しくは編成を示すよりも、前述の機能を提供するために適切な手段への参照としてみるものとする。
【００９７】
本発明の局面は、ハードウェア、ソフトウェア、ファームウェア、又は前述の何れかの組み合わせを含む何れかの適切な形態で実現することができる。本発明は、任意的には、１つ又は複数のデータ・プロセッサ上及び／若しくはディジタル信号プロセッサ上で実行するコンピュータ・ソフトウェアとして少なくとも部分的に実現することができる。よって、本発明の実施例の構成要素及び構成部分は、何れかの適切なやり方で物理的、機能的、及び論理的に実現することができる。実際に、機能は、単一のユニットで実現しても、複数のユニットで実現しても、他の機能ユニットの一部として実現してもよい。
【００９８】
本発明は、一部の実施例に関して説明してきたが、本明細書及び特許請求の範囲記載の特定の形態に限定することを意図するものでない。むしろ、本発明の範囲は、特許請求の範囲によってのみ限定される。更に、特定の実施例に関して構成を説明しているようにみえることがあり得るが、本明細書及び特許請求の範囲記載の実施例の種々の構成を本発明によって組み合わせることができるということを当業者は認識するであろう。
【００９９】
更に、個々に列挙しているが、複数の手段、構成要素又は方法工程を例えば、単一の装置又はプロセッサによって実現することができる。更に、個々の構成を別々の請求項に含めていることがあり得るが、これらは、場合によっては、組み合わせることが効果的であり得るものであり、別々の請求項に含めていることは、構成の組み合わせが実施可能でないこと及び／又は効果的でないことを示唆しているものでない。更に、請求項の一カテゴリに構成を含めていることは、このカテゴリへの限定を示唆するものでなく、むしろ、上記構成が、適宜、他のクレーム・カテゴリにも同様に適用可能であることを示している。
【０１００】
更に、請求項における構成の順序は、構成を行わなければならない何れかの特定の順序を示唆するものでなく、特に、方法クレームにおける個々の工程の順序は、工程をこの順序で行わなければならないことを示唆するものでない。
【０１０１】
むしろ、工程は、何れかの適切な順序で行うことができる。更に、単数形の参照は複数形を排除するものでない。よって、「ａ」、「ａｎ」、「第１の」、「第２の」等に対する参照は複数形を排除するものでない。
【図１】
0005354079.tif 000004
【図２】
0005354079.tif 000005
【図３】
0005354079.tif 000006
【図４】
0005354079.tif 000007
【図５】
0005354079.tif 000008
【図６】
0005354079.tif 000009
【図７】
0005354079.tif 000010